(57)【要約】【課題】美文字を実現するために必要な文字本来のバランスや形状を習得できる文字練習枠、文字練習紙および文字練習帳を提供する。【解決手段】正方形の外枠１１と、外枠１１の一対の対角線である斜め基準線３０と、を有する。また、斜め基準線３０を設けているので、漢字やひらがな、カタカナにおいて、斜めになっている部分の正確な位置や正確な角度を習得することができる。したがって、枠内に文字を記載して文字を練習すれば、各文字を正確な形状で書く方法を習得できる。しかも、全ての文字を正方形の外枠１１内で記載するので、異なる文字間の適切なバランスを把握できる。したがって、文章を記載したときに、個々の字がバランスよく記載されるので、見た目が美しい文章とすることができる。【選択図】図１
2016118666.tif 000002
【特許請求の範囲】
【請求項１】
正方形の外枠と、
該外枠の一対の対角線である斜め基準線と、を有する
ことを特徴とする文字練習枠。
【請求項２】
前記外枠内を左右に２分割する左右中心線と、
前記外枠内を上下に２分割する上下中心線と、を有する
ことを特徴とする請求項１記載の文字練習枠。
【請求項３】
前記左右中心線と前記外枠における左方縦枠との間を２分割する偏側分割線、および／または、前記左右中心線と前記外枠における右方縦枠との間を２分割する旁側分割線、を有する
ことを特徴とする請求項１または２記載の文字練習枠。
【請求項４】
前記上下中心線と前記外枠における上方横枠との間を２分割する上側分割線、および／または、前記上下中心線と前記外枠における下方横枠との間を２分割する下側分割線、を有する
ことを特徴とする請求項１、２または３記載の文字練習枠。
【請求項５】
前記左右中心線と前記外枠における左方縦枠との間を２分割する偏側分割線と、
前記左右中心線と前記外枠における右方縦枠との間を２分割する旁側分割線と、
前記上下中心線と前記外枠における上方横枠との間を２分割する上側分割線と、
前記上下中心線と前記外枠における下方横枠との間を２分割する下側分割線と、を有する
ことを特徴とする請求項１、２、３または４記載の文字練習枠。
【請求項６】
正方形の外枠と、
前記外枠内を左右に２分割する左右中心線と、
前記左右中心線と前記外枠における左方縦枠との間を２分割する偏側分割線と、を有する
ことを特徴とする文字練習枠。
【請求項７】
前記外枠内を上下に２分割する上下中心線を有する
ことを特徴とする請求項６記載の文字練習枠。
【請求項８】
前記外枠の一対の対角線である斜め基準線を有する
ことを特徴とする請求項６または７記載の文字練習枠。
【請求項９】
前記上下中心線と前記外枠における上方横枠との間を２分割する上側分割線および／または前記上下中心線と前記外枠における下方横枠との間を２分割する下側分割線、を有する
ことを特徴とする請求項６、７または８記載の文字練習枠。
【請求項１０】
前記左右中心線と前記外枠における右方縦枠との間を２分割する旁側分割線を有する
ことを特徴とする請求項６、７、８または９記載の文字練習枠。
【請求項１１】
請求項１乃至１０のいずれかに記載の文字練習枠が形成されている
ことを特徴とする文字練習紙。
【請求項１２】
複数枚の紙から形成されており、
該複数枚の紙が、
請求項１１記載の紙である
ことを特徴とする文字練習帳。
【請求項１３】
手本が記載されたページを有している
ことを特徴とする請求項１２記載の文字練習帳。
【発明の詳細な説明】
【技術分野】
【０００１】
本発明は、文字練習枠、文字練習紙および文字練習帳に関する。
【背景技術】
【０００２】
古来、文明が発達する過程で文字が形成された。文字はその土地の文化とともに完成され、地域によって様々な文字が形成された。このような過程で形成された文字には、国民性が色濃く反映されている。例えば、漢字は中国の文化を反映しており、平仮名は日本の文化を礎として完成されたものである。
【０００３】
このような文字を発明し継承してきた人たちは、身分が高く、教養も高いレベルで学ぶことができるような環境の人たちであった。また、文字を書くための道具も高価であったため、文字を扱うことは特別なことであった。つまり、文字を学ぶことができる人が限られていたため、形成された文字の利用形態も、主として、政治的な場での利用や文化的な利用に限定されていた。
【０００４】
そして、上述したような人々による文字の学習では、単なる文字の読み書きだけでなく、文字の理念や完全な文字構成のルールまで学習されていた。日本人の場合、中国文化の漢字と日本文化の平仮名の両方を使用した日本語を習うため、それぞれ違う特性を持つ文字構成やそのルールを覚えなければならず、文字を本当に学習するためには、多大な時間が必要であった。このような事情も、文字を扱うことが特別なこととなっていた一因といえる。
【０００５】
近代では、身分に関係なく、誰もが国民の権利として文字を学ぶことができるようになってきた。つまり、学校における教育で文字を学ぶことができるようになった。このため、現在、多数の人々が文字を学び、文字の読み書きができるようになっている。
【０００６】
しかし、誰もが文字を学ぶことができるようになった一方で、学校における教育時間の制約などから、文字の学習は文字を読んだり書いたりできるようになることに主眼が置かれたものとなっている。このため、古来、文字の学習において必須であった、文字の理念や完全な文字構成のルールまでは教育機関で教えられていない。また、誰もが文字を読み書きできるようになったことから、文字を扱うことは特別なことであった、という意識も薄れてきている。
【０００７】
最近では、パソコンの普及で自筆をすることさえも少なくなってきている。それにより自筆になると、文字の構成ルールを度外視した様々な形をした文字が世の中にあふれるようになってきている。そのような文字は「かわいい」とか「おもしろい」と遊び感覚で使用されている。
【０００８】
しかし、文字の構成ルールを度外視した様々な形をした文字は、公的な場合だと「悪筆」「癖字」として見られる。そして、人格さえもその文字によって印象づけされてしまいがちである。とくに、美的意識が強い国民性の日本人は「悪筆」には嫌悪感を持ち、「美文字」には「賢く見える」「教養がある」「性格がよい」「育ちがよい」など好印象を抱く。このような感覚は古来も現代も同様である。そのため、多数の日本人は文字を美しく書きたいという潜在的な要求を有している。そして、その要求に応えるために、古くから、日本では書道教室が多く存在している。なお、中国で書道とは学問領域になるため書道教室のようなものは少なく、日本との理念の違いが明らかにわかる。
【０００９】
ここ数年、書道という敷居の高い伝統的な手習いより、「美文字」「ペン字」という気軽さを醸し出した習い事が人気を呼んでいる。お金のかかる伝統芸より、格安で実生活にすぐに役立つ「美文字・ペン字レッスン」は、時代を反映した習い事になってきている。
【００１０】
上述したような「悪筆」「癖字」とみなされる文字（以下癖字という）の使用に慣れてしまった場合、一旦身に着いた癖字を矯正することは難しい。特に成人となると、子供のころからの癖字が固定化し、なかなか矯正できないため多く方が癖字に悩んでいる。このことも「美文字・ペン字レッスン」が人気を呼んでいる一因ともいえる。なぜなら、美文字・ペン字レッスンは書道のお稽古と違い、筆の扱い方を習う作業を省き、文字の構成を最初に学ぶため、短期間で癖字矯正ができるからである。
【００１１】
上述したような事情もあり、美文字・ペン字レッスンは、学校で学べない教養としても幼児から成人までニーズが高まっている。
【００１２】
美文字・ペン字レッスンに通える人は、文字の構成ルールを適切に習得できるので、多少なりとも美文字へ早く辿りつくことができる。一方、種々の事情により、レッスンに通えない人の場合は、通信教育や市販の練習帳を使用して文字の構成ルールを自力で学ぶしかない。このため、通信教育や書店での美文字・ペン字練習帳などが普及しており、多数の文字練習帳や文字練習用具などが開発されている（例えば、特許文献１〜４参照）。
【００１３】
特許文献１には、手本となる平仮名文字全体を略内接させて収めることができる枠欄を記載した平仮名練習帳が開示されている。そして、特許文献１には、前記枠欄を使用するにより枠欄から得られる字形バランスをイメージしながら表記の練習をすることができる旨が記載されている。また、枠欄を目安にして、筆の書き出し位置、書き終わり位置、跳ねる位置、筆はらい位置、筆返し位置、文字片を揃える位置、及び文字片の湾曲形状、等を習得できる旨も記載されている。
【００１４】
特許文献２には、紙面全面に、水平面に対する角度が６度強の罫線を引いた練習用紙が開示されている。そして、特許文献２には、この用紙を使用することで、漢字・平仮名・片仮名の字形を整え、「きれいな字」を書く技能を身につけることができる旨の記載がある。
【００１５】
特許文献３、４には、方形状の枠線の中に、破線状の縦線と、破線状の横線と、破線状の対角線とを、方形状の枠線の中心を通るように表示した文字練習用方眼紙が開示されている。そして、特許文献３には、文字を上下半分あるいは左右半分に分解でき、対角線によって文字のはね、はらい場所等を正確に理解することができる旨の記載がある。また、文字の書き出し位置や書き終わり位置、通過位置を表示することによって、小学生の低学年生でも見本と同様に上手に文字を書くことができる旨の記載もある。
【先行技術文献】
【特許文献】
【００１６】
【特許文献１】特開平７−２０５５７１号
【特許文献２】実用新案登録第３１１７１９７号
【特許文献３】実用新案登録第２５２８７８３号
【特許文献４】実用新案登録第２６０７８４８号
【発明の概要】
【発明が解決しようとする課題】
【００１７】
しかるに、特許文献１の平仮名練習帳では、あくまでもかな文字の外形を示しているだけである。このため、ある程度字形とバランスは把握できても、文字自体は、結局手本をまねるだけに過ぎない。
【００１８】
また、特許文献２の練習用紙は、単に、右上がりの文字が美しいという考えに基づいて構成されているだけであり、この練習用紙を使用しても、文字本来のバランスや形状などを習得することはできない。
【００１９】
一方、特許文献３の文字練習用方眼紙は、対角線が記載されているのではねなどを理解しやすいという利点はある。しかし、方形状の枠線は各文字に合わせて形成されており、書き出し位置なども点で示しているので、特定の文字に専用の方眼紙を用意しなければならない。しかも、特定の文字専用の方眼紙を使用しているため、異なる文字同士間のバランス等は理解できない。したがって、実際の文章を記載した場合に、文章としての仕上がりをきれいにできる文字を習得することは難しい。
【００２０】
このように、多くの美文字・ペン字商品が販売されているにもかかわらず、現実的には、購入後の満足度が低い、言い換えれば、美文字に辿りついていないのが実情である。
その理由として、大きく以下の４点があると考えられる。
１、文字構成を明確に示してないこと。
２、何回も使えないこと。
３、練習する部分が少ないこと。
４、文字練習の枠部分が適切でないので、正確に文字の構成を覚えにくいこと。
上記点が解決されなければ、字は上手にならない。このことは、発明者の１０年の美文字講師経験から発見したことである。
【００２１】
とくに、上記４点のうち、第４番目に記載の適切な枠は正確に文字の構成を習得する上で重要であるが、かかる要件を満たす枠やかかる枠を備えた練習帳はない。
【００２２】
本発明は上記事情に鑑み、美文字を実現するために必要な文字本来のバランスや形状を習得できる文字練習枠、文字練習紙および文字練習帳を提供することを目的とする。
【課題を解決するための手段】
【００２３】
（文字練習枠）
第１発明の文字練習枠は、正方形の外枠と、該外枠の一対の対角線である斜め基準線と、を有することを特徴とする。
第２発明の文字練習枠は、第１発明において、前記外枠内を左右に２分割する左右中心線と、前記外枠内を上下に２分割する上下中心線と、を有することを特徴とする。
第３発明の文字練習枠は、第１または第２発明において、前記左右中心線と前記外枠における左方縦枠との間を２分割する偏側分割線、および／または、前記左右中心線と前記外枠における右方縦枠との間を２分割する旁側分割線、を有することを特徴とする。
第４発明の文字練習枠は、第１、第２または第３発明において、前記上下中心線と前記外枠における上方横枠との間を２分割する上側分割線、および／または、前記上下中心線と前記外枠における下方横枠との間を２分割する下側分割線、を有することを特徴とする。
第５発明の文字練習枠は、第１、第２、第３または第４発明において、前記左右中心線と前記外枠における左方縦枠との間を２分割する偏側分割線と、前記左右中心線と前記外枠における右方縦枠との間を２分割する旁側分割線と、前記上下中心線と前記外枠における上方横枠との間を２分割する上側分割線と、前記上下中心線と前記外枠における下方横枠との間を２分割する下側分割線と、を有することを特徴とする。
（文字練習枠）
第６発明の文字練習枠は、正方形の外枠と、前記外枠内を左右に２分割する左右中心線と、前記左右中心線と前記外枠における左方縦枠との間を２分割する偏側分割線と、を有することを特徴とする。
第７発明の文字練習枠は、第６発明において、前記外枠内を上下に２分割する上下中心線と、を有することを特徴とする。
第８発明の文字練習枠は、第６または第７発明において、前記外枠の一対の対角線である斜め基準線と、を有することを特徴とする。
第９発明の文字練習枠は、第６、第７または第８発明において、前記上下中心線と前記外枠における上方横枠との間を２分割する上側分割線および／または前記上下中心線と前記外枠における下方横枠との間を２分割する下側分割線、を有することを特徴とする
第１０発明の文字練習枠は、第６、第７、第８または第９発明において、前記左右中心線と前記外枠における右方縦枠との間を２分割する旁側分割線を有することを特徴とする。
（文字練習紙）
第１１発明の文字練習枠は、第１乃至第１０発明のいずれかに記載の文字練習枠が形成されていることを特徴とする。
（文字練習帳）
第１２発明の文字練習枠は、複数枚の紙から形成されており、該複数枚の紙が、第１１発明の紙であることを特徴とする。
第１３発明の文字練習枠は、第１２発明において、手本が記載されたページを有していることを特徴とする。
【発明の効果】
【００２４】
（文字練習枠）
第１発明によれば、斜め基準線を設けているので、漢字やカタカナにおいて、斜めになっている部分の正確な位置や正確な角度を習得することができる。したがって、枠内に文字を記載して文字を練習すれば、各文字を正確な形状で書く方法を習得できる。しかも、全ての文字を同じ大きさの正方形の外枠内で記載するようにすれば、異なる文字間の適切なバランスを把握できる。したがって、文章を記載したときに、個々の字がバランスよく記載されるので、見た目が美しい文章とすることができる。
第２発明によれば、漢字の偏について上下左右の適切なバランスを把握できるので、漢字をより正確な形状となるように書く方法を習得できる。
第３発明によれば、偏および／または旁を記載する適切な位置を把握できるので、漢字をより正確な形状となるように書く方法を習得できる。また、カタカナを記載する場合において、文字の各部について適切な位置を把握できるので、カタカナをより正確な形状となるように書く方法を習得できる。
第４発明によれば、各文字について上下左右の適切なバランスを把握しやすくなるので、漢字やカタカナをより正確な形状となるように書く方法を習得できる。
第５発明によれば、漢字だけでなく、ひらがなやカタカナでも、正確なバランスや形状となるように文字を書くための適切な位置を把握できる。したがって、漢字だけでなく、ひらがなやカタカナでも、より正確な形状となるように書く方法を習得できる。
（文字練習枠（偏主体））
第６発明によれば、偏を記載する適切な位置を把握できるので、漢字をより正確な形状となるように書く方法を習得できる。したがって、枠内に文字を記載して文字を練習すれば、各文字を正確な形状で書く方法を習得できる。しかも、全ての文字を同じ大きさの正方形の外枠内で記載するようにすれば、異なる文字間の適切なバランスを把握できる。したがって、文章を記載したときに、個々の字がバランスよく記載されるので、見た目が美しい文章とすることができる。
第７発明によれば、漢字の偏について上下の適切なバランスを把握できるので、漢字をより正確な形状となるように書く方法を習得できる。
第８発明によれば、斜め基準線を設けているので、漢字やカタカナにおいて、斜めになっている部分の正確な位置や正確な角度を習得することができる。したがって、各文字を正確な形状で書く方法を習得できる
第９、第１０発明によれば、漢字だけでなく、ひらがなやカタカナでも、正確なバランスや形状となるように文字を書くための適切な位置を把握できる。したがって、漢字だけでなく、ひらがなやカタカナでも、より正確な形状となるように書く方法を習得できる。
（文字練習紙）
第１１発明によれば、形成されている枠内に文字を記載して文字を練習すれば、漢字やひらがな、カタカナを、各文字を正確な形状で書く方法を習得できる。
（文字練習帳）
第１２発明によれば、各紙に形成されている枠内に文字を記載して文字を練習すれば、漢字やひらがな、カタカナを、各文字を正確な形状で書く方法を習得できる。
第１３発明によれば、手本を参考にして、各紙に形成されている枠内に文字を記載して文字を練習すれば、各文字を正確な形状で書く方法をより効率よく習得できる。とくに、手本自体が枠内に文字を記載したものであれば、その記載を参考にして、各文字を正確な形状で書く方法より正確かつ迅速に習得できる。
【図面の簡単な説明】
【００２５】
【図１】本実施形態の文字練習帳１の概略説明図である。
【図２】本実施形態の文字練習帳１に使用する文字練習紙２の概略説明図である。
【図３】（Ａ）は文字練習枠１０の拡大説明図であり、（Ｂ）は手本が記載された文字練習枠１０の拡大説明図である。
【図４】文字練習枠１０の他の例を示した図である。
【図５】文字練習枠１０の他の例を示した図である。
【発明を実施するための形態】
【００２６】
つぎに、本発明の実施形態を図面に基づき説明する。
本発明の文字練習帳は、文字の構成ルールを適切に習得するための文字練習枠が記載された文字練習帳であり、文字練習枠が文字の構成ルールに沿って文字を記載することに適した罫線を有しているという特徴を有している。
【００２７】
そもそも小学１年生から学校で使う「こくご」のノートでは、１枠が４本の罫線で仕切られた枠を使用しており、たいていの市販されている美文字ペン字練習帳は「こくご」のノートと同じ形式になっている。このように、１枠を４分割しただけでは曖昧な感覚でしか文字構成を学べない。なぜなら漢字は細かい構成ルールがたくさんあるからである。
【００２８】
また、受験のための「とめ」「はね」「はらい」を覚えても美文字を書くことはできない。美文字を書くには、どのぐらいの角度で「跳ねる」のか、どのぐらいの長さで「はらう」のか、どの位置で「とめる」のかを確実に覚えられる枠が必要となる。
【００２９】
本発明の文字練習帳に記載されている文字練習枠は、漢字の細かい構成ルールや、「とめ」「はね」「はらい」等を適切に習得できるように、正方形の枠内に適切な罫線を引いていることに特徴を有している。
【００３０】
まず、本実施形態の文字練習帳１における文字練習枠１０について説明する前に、本実施形態の文字練習帳１について説明する。
【００３１】
（文字練習帳）
図１に示すように、本実施形態の文字練習帳１は、複数枚の文字練習紙２から形成されたものである。複数枚の文字練習紙２は、印刷などによって、その表面または表裏両面に後述する文字練習枠１０が形成された紙である（図２参照）。
【００３２】
例えば、図１のように文字練習帳１を形成することができる。つまり、複数の文字練習枠１０からなる文字練習枠群５が一対印刷された文字練習紙２を複数枚重ねる。そして、一対の文字練習枠群５の間の位置で文字練習紙２を紐やステープラーなどによって綴じる（図１のａの線の位置）。すると、文字練習帳１を開くと、見開きに一対の文字練習枠群５が配置されるような文字練習帳１を形成することができる。
【００３３】
また、文字練習帳１は、図１に示すような方法以外に、複数枚の文字練習紙２を重ねた状態でその一辺を綴じて形成することもできる。この場合、複数枚の文字練習紙２の一辺を綴じる方法はとくに限定されず、一般的に採用されている種々の方法を採用することができる。具体的には、のり等の接着剤で連結して綴じてもよいし、紐やステープラーなどによって連結して綴じてもよい。例えば、天のり方式を使用して複数枚の文字練習紙２を綴じて、文字練習帳１を形成することができる。天のり方式で形成された文字練習帳１の場合には、複数枚の文字練習紙２を分離して使用することも可能となる。
【００３４】
また、文字練習帳１は、文字練習紙２だけでなく、手本が記載されたページ（手本シート）が一緒に綴じられていてもよい。手本が記載されたページ（手本ページ）を有していれば、手本を参考にして文字を練習することができる。つまり、手本を見ながら、各文字練習紙２に形成されている文字練習枠１０内に文字を記載して文字を練習すれば、各文字を正確な形状で書く方法をより効率よく習得できる。
【００３５】
とくに、図３（Ｂ）に示すように、手本ページに、手本自体を文字練習枠１０内に文字を記載したものを有していることが望ましい。この場合、手本の記載を真似して文字練習枠１０内に文字を記載すれば、各文字を正確な形状で書く方法をより正確かつ迅速に習得できる。
【００３６】
手本が記載されたページを配置する方法もとくに限定されない。例えば、文字練習帳１の巻頭や巻末にまとめて手本ページを綴じてもよいし、文字練習紙２の間に適宜手本ページを配置してもよい。
とくに、文字練習帳１を開くと、その見開きに、文字練習紙２と手本ページが配置されるようになっていれば、手本を参照しながら文字を練習できるので、好ましい。
【００３７】
なお、文字練習帳１は表紙や裏表紙を有していなくてもよいが、表紙や裏表紙を設けておけば取り扱い性が良くなるという利点が得られる。そして、表紙や裏表紙の紙として、マット紙などの表面の光沢を抑えたものを使用すれば、文字練習帳１に高級感を付与することができる。もちろんプラスチックなどの樹脂や革等の紙以外の素材で表紙や裏表紙を形成してもよい。
【００３８】
（文字練習紙２）
文字練習紙２は、必ずしも複数枚を綴じて文字練習帳１となった状態で提供されなくてもよい。複数枚の文字練習紙２をバラバラにした状態で袋などに封入して提供してもよい。
【００３９】
また、文字練習紙２の紙質やサイズもとくに限定されないが、紙質は、濃い鉛筆（４Ｂ以上）で記載しても書いた文字が裏に透けて見えない（または見えても気にならない）ものが好ましい。このような紙を使用すれば、一方の面に文字を書く際に、裏面に記載された文字が邪魔にならない。つまり、一方の面に書いた文字が、裏面の文字練習枠１０の罫線を認識する際の障害とならないので、文字練習紙２の両面を有効に使用することができる。
【００４０】
（文字練習枠１０）
文字練習枠１０について説明する。
図２、図３および図４（Ｄ）に示すように、文字練習枠１０は、外枠１１と、十字線２１と、補助線２５と、斜め基準線３０と、を備えている。
【００４１】
外枠１１は、正方形に形成された枠であり、一対の縦枠１１ａ，１１ｂおよび一対の横枠１１ｃ，１１ｄを備えている。文字を練習する際には、この外枠１１からはみ出さないように、文字を記載する。
【００４２】
この外枠１１内には、十字線２１が記載されている。この十字線２１は、左右中心線２２と、上下中心線２３と、を備えている。左右中心線２２は、外枠１１の一対の縦枠１１ａ，１１ｂと平行な線であり、外枠１１内を左右に２分割する位置に設けられている。上下中心線２３は、外枠１１の一対の横枠１１ｃ，１１ｄと平行な線であり、外枠１１内を上下に２分割する位置に設けられている。つまり、十字線２１によって外枠１１内は４分割されている。
【００４３】
また、外枠１１内には、補助線２５も設けられている。この補助線２５は、偏側分割線２６と、旁側分割線２７と、上側分割線２８と、下側分割線２９と、を備えている。偏側分割線２６は、外枠１１の一対の縦枠１１ａ，１１ｂと平行な線であり、左右中心線２２と外枠における左方縦枠１１ａとの間を２分割する位置に設けられている。旁側分割線２７は、外枠１１の一対の縦枠１１ａ，１１ｂと平行な線であり、左右中心線２２と外枠における右方縦枠１１ｂとの間を２分割する位置に設けられている。上側分割線２８は、外枠１１の一対の横枠１１ｃ，１１ｄと平行な線であり、上下中心線２３と外枠における上方枠線１１ｃとの間を２分割する位置に設けられている。下側分割線２９は、外枠１１の一対の横枠１１ｃ，１１ｄと平行な線であり、上下中心線２３と外枠における下方枠線１１ｄとの間を２分割する位置に設けられている。つまり、十字線２１と補助線２５によって、外枠１１内は１６分割されている。
【００４４】
そして、外枠１１内には、斜め基準線３０も設けられている。この斜め基準線３０は、外枠１１の一対の対角線３１，３２から構成されている。なお、一対の対角線３１，３２は、当然であるが、外枠１１の中心、つまり、左右中心線２２と上下中心線２３との交点で互いに交わるように形成されている。
【００４５】
以上のように、本実施形態の文字練習枠１０は、正方形の外枠１１内に十字線２１と補助線２５とを備えており、外枠１１内が１６分割されている。本来、漢字の構成を覚えるための枠、平仮名を覚えるための枠、カタカタを覚えるための枠、がそれぞれ必要である。しかし、本実施形態の文字練習枠１０を使用すれば、一つの枠で、すべての文字（漢字、ひらがな、カタカナ）の構成を覚えることができる。つまり、本実施形態の文字練習枠１０を使用することで、日本語のすべての文字の構成を適切に覚えることができる。
【００４６】
しかも、全ての文字を、同じ大きさの正方形の外枠１１内に記載して文字を練習するので、異なる文字間のバランスも適切に把握できる。すると、文章を記載したときに、個々の字をバランスよく記載できるようになるので、見た目が美しい文章とすることができる。
【００４７】
しかも、本実施形態の文字練習枠１０は、斜め基準線３０を備えているので、漢字やカタカナにおいて、斜めになっている部分の正確な位置や正確な角度を習得することができる。
【００４８】
したがって、本実施形態の文字練習枠１０は、外枠１１内に文字を記載して文字を練習すれば、漢字、ひらがな、カタカナを問わず、また、文字がななめ線を有していても、各文字を正確な形状で書く方法を習得できる。
【００４９】
ここで、本実施形態の文字練習枠１０における各線の効果を具体的に説明する。
【００５０】
（十字線２１）
十字線２１を設けることによって、外枠１１を基準として、各文字について上下左右の適切なバランスを把握できるので、文字をより正確な形状となるように書く方法を習得できる。
【００５１】
（補助線２５）
本実施形態の文字練習枠１０のように、４本の補助線２５を設けておけば、漢字はもちろんであるが、平仮名やカタカナでも、正確なバランスや形状となるように文字を書くための適切な位置を把握できる。具体的には、４本の補助線２５の位置や４本の補助線２５と他の線が交わる位置を目印として、平仮名やカタカナの始点や終点の正確な位置、線を屈曲させたり折り返したりする正確な位置を把握することができる。また、平仮名であれば、線の変曲点等の正確な位置も把握することができる。したがって、漢字はもちろんであるが、平仮名やカタカナでも、正確なバランスや形状の文字を書く方法を習得することができる。
【００５２】
例えば、平仮名の「の」は４角で書かれるが、その際に、各角のつなぎ部分の位置が重要になる。本実施形態の文字練習枠１０のように４本の補助線２５を設けておけば、つなぎ部分の適切な位置を把握できるので、「の」を正確なバランスや形状となるように書くことができる。この「の」と同様の形状の部分（大結び）を有する「め」や「あ」、「ぬ」でも、つなぎ部分の適切な位置を把握できる。すると、これらの文字を正確なバランスや形状となるように書く方法を習得することができる。
【００５３】
また、平仮名の「ま」には、線で囲まれた部分（目）を有している（中結び）。この部分は３角で書かれるが、その際に、各角のつなぎ部分の位置が重要になる。本実施形態の文字練習枠１０のように４本の補助線２５を設けておけば、大結びの場合と同様に、つなぎ部分の適切な位置を把握できる。したがって、「ま」の文字を正確なバランスや形状となるように書くことができる。この「ま」と同様の形状の部分（中結び）を有する「は」や「ほ」、「よ」などでも、つなぎ部分の適切な位置を把握できるので、文字を正確なバランスや形状となるように書くことができる。
【００５４】
同様に、中結びよりも目の面積が小さい小結びも３角で書かれる。小結びを有する文字は、例えば、「ね」や「る」、「ぬ」であるが、この小結びも３角で記載されるので、４本の補助線２５を設けておけば、つなぎ部分の適切な位置を把握できる。したがって、小結びを有する文字を正確なバランスや形状となるように書くことができる。
【００５５】
また、補助線２５は、全ての補助線が記載されていなくてもよく、一部の補助線だけが記載されていてもよい。例えば、偏側分割線２６だけを設けても、偏を記載する適切な位置を把握できるという利点が得られる。また、旁側分割線２７だけを設けても、旁を記載する適切な位置を把握できるという利点が得られる。さらに、偏側分割線２６および旁側分割線２７に加えて、上側分割線２８を設ければ偏や旁の適切な書き出し位置を把握しやすくなるという利点が得られる。そして、偏側分割線２６および旁側分割線２７に加えて、下側分割線２９を設けることによって、偏や旁の長さや両者の上下方向における相対的な位置について、適切な位置を把握できるという利点が得られる。
【００５６】
（斜め基準線３０）
斜め基準線３０を設けた場合には、上述したように、漢字やひらがな、カタカナにおいて、斜めになっている部分の正確な位置や正確な角度を習得することができる。例えば、左右のはらい線の正確な角度などを習得することができる。
【００５７】
（他の文字練習枠１０）
本実施形態の文字練習枠１０が、外枠１１に加えて、十字線２１、補助線２５および斜め基準線３０を備えていれば、上述したように、漢字、ひらがな、カタカナを問わず、また、文字がななめ線を有していても、各文字を正確な形状で書く方法を習得できる。そして、複数の線そのものだけでなく、複数の線が交差する交点も文字を記載する際に目印となるので、初心者や子供が文字を練習する場合にとくに有効となる。
【００５８】
一方、ある程度文字が上達した人や、特定の文字の場合には、特定の線だけが記載された枠でも文字の構成を学んだり練習したりすることができる。つまり、十字線２１や一部の補助線２５や斜め基準線３０は無くてもよい。そして、以下のように、文字練習枠１０が一部の線だけしかない場合でも、文字練習枠１０を使用して文字の正確な形状等を練習することができる。
【００５９】
図４（Ａ）に示すように、外枠１１内に斜め基準線３０のみを記載した場合でも、漢字やひらがな、カタカナにおいて、斜めになっている部分の正確な位置や正確な角度を習得することができる。例えば、漢字の「人」であれば、左下がりと右下がりの線だけで構成されているので、斜め基準線３０だけでも練習することができる。もちろん、ある程度上達した人が文字における左下がりや右下がりの部分を練習する枠としても適している。
【００６０】
図４（Ｂ）に示すように、外枠１１内に十字線２１と斜め基準線３０とを記載した場合には、ななめ線を練習できるとともに、十字線２１によって各文字について上下左右の適切なバランスを把握できる。例えば、ひらがなの「え」であれば、点の位置や文字の大きさなどのバランスを把握できるし、左下がりや右下がりの部分も練習することができる。
【００６１】
図４（Ｃ）に示すように、外枠１１内に、十字線２１と斜め基準線３０に加えて、上側分割線２８と下側分割線２９を記載した場合には、十字線２１だけの場合に比べて、各文字について上下左右の適切なバランスを把握しやすくなる。また、上部の横線の位置や角度などを練習できる。例えば、漢字の「又」であれば、文字の大きさなどのバランスと左下がりや右下がりの部分を練習できるとともに、上部の横線の記載も練習することができる。
【００６２】
図５（Ｅ）に示すように、外枠１１内に、左右中心線２２と偏側分割線２６だけを設けてもよい。この場合には、偏と旁の相対的な位置を練習することができる。例えば、漢字の「林」であれば、偏と旁の中間に左右中心線２２が位置するよりも、旁が左右方向の中心に位置しているほうが見た目に美しい文字になる。このような場合、図５（Ｅ）の枠で練習すれば、偏と旁の適切な記載位置を練習することができる。
【００６３】
図５（Ｆ）に示すように、外枠１１内に、十字線２１と偏側分割線２６だけを設けた場合には、旁や偏が上部構成と下部構成を有する文字について、各部の相対的な位置やバランスを練習することができる。例えば、漢字の「徳」であれば、旁が上部構成と下部構成を有しているので、上部構成と下部構成のバランスや配置を把握することができる。
【００６４】
図５（Ｇ）に示すように、外枠１１内に、十字線２１と偏側分割線２６に加えて、斜め基準線３０も設ければ、上部構成と下部構成を有する文字であって、斜め線を有する文字の練習に適している。例えば、漢字の「雑」であれば、偏の下部構成や旁にななめの線を有しているので、上部構成と下部構成のバランスや配置に加えて、偏や旁のななめ線の適切な記載方法を学ぶことができる。
【００６５】
図５（Ｈ）に示すように、図５（Ｇ）の構成から十字線２１の上下中心線２３を除いた枠としてもよい。この場合には、偏や旁が上部構成と下部構成に分かれていないが、偏や旁が斜め線を有しているような文字の練習に適している。例えば、漢字の「独」であれば、偏がななめ線の部分を有しているので、偏と旁のバランスに加えて、偏のななめ線の適切な記載方法を学ぶことができる。
【００６６】
（文字練習枠１０の線の色や線種、太さ）
文字練習枠１０の線の色や線種、太さなどは適切に設定すればよく、その組み合わせもとくに限定されない。しかし、文字は何度も繰り返し書いて練習することが重要であるので、文字練習枠１０も、「文字の構成を覚えるまでは」人が何度も使用したいと思う（言い換えれば、「何度も使える価値がない」と思わせない）ように構成されていることが望まれる。具体的には、文字練習枠１０は、各線が文字を練習する際の目印になるとともに、目が疲れにくいように構成されていることが望ましい。
【００６７】
目が疲れにくいように文字練習枠１０を構成するために、各線の色や太さ、線種は限定されないし、どのような組み合わせとするかもとくに限定されない。例えば以下のような構成とすることができる。
【００６８】
（線の色）
まず、線の色は、青、グレーなどの目に優しい色が好ましい。
また、全ての線が全て同じ色であってもよいし、線によって色を変えてもよい。ただし、線によって色を変える場合には、外枠線１１を最も目立つ色にして、他の線は外枠線１１よりも目立たない色とすることが望ましい。
【００６９】
（外枠線１１）
外枠線１１は、他の枠との境界となるので、太線かつ実線で記載されていることが望ましい。しかし、他の枠との境界としてはっきりと認識できるのであれば、外枠線１１の太さや線種は上記例に限定されない。
【００７０】
（十字線２１）
十字線２１は、一番基本的な線であり、全ての線を記載した場合には一番基準となる線である。したがって、十字線２１は、外枠線１１と同等程度の太線で記載することが好ましい。しかし、外枠線１１よりも目立たない方が文字を記載しやすくなるので、十字線２１を太線とした場合には、その線種として一点鎖線を使用することが望ましい。
【００７１】
十字線２１の線種を一点鎖線とした場合には、十字線２１の色を外枠線１１と同じ色にしてもよい。しかし、十字線２１を実線や点線とした場合には、外枠線１１よりも目立たない色を採用することが望ましい。例えば、外枠線１１が青色の場合には、十字線２１を実線や点線とする代わりに、十字線２１をグレーとする。すると、外枠線１１と十字線２１を同じ線種としても、十字線２１を外枠線１１よりも目立たなくすることができる。
【００７２】
（斜め基準線３０）
斜め基準線３０は、外枠線３０よりも目立たせないことはもちろんであるが、十字線２１よりも目立たないようにすることが望ましい。一方、斜め基準線３０は、文字を練習する人がある程度認識しやすい方が望ましい。例えば、斜め基準線３０は、外枠線１１や十字線２１と同等程度の太線で記載し、線種を点線、色をグレーとすれば、外枠線３０や十字線２１よりも斜め基準線３０が目立たないようにすることができる。もちろん、斜め基準線３０の太さや線種、色は、外枠線３０や十字線２１よりも目立たないようにしつつ、文字を練習する人がある程度認識できるようになっていれば、どのような組み合わせとしてもよい。
【００７３】
（補助線２５）
補助線２５は、他の線に比べて、目立たないものであることが望ましい。例えば、補助線２５を、他の線よりも細くかつ薄い青色の一点鎖線とする。このようにすれば、文字練習枠１０で文字を練習する人が、補助線２５があることを意識すれば、補助線２５を認識しながら文字を記載できる。一方、文字練習枠１０で文字を練習する人が、補助線２５があることを意識しなければ、補助線２５が無い枠と同じ感覚で文字を練習することができる。すると、補助線２５が記載されている文字練習枠１０は、初心者にとっては色々な線を参考にして文字を練習できる枠となるし、ある程度上達した人にとっては最低限の線が記載された枠として文字の練習に使用できる。つまり、補助線２５を上記のごとき形態とすれば、本実施形態の文字練習枠１０を、様々なレベルの人が共通して使用することができる枠とすることができるのである。
【産業上の利用可能性】
【００７４】
本発明の文字練習枠は、子供や大人が漢字ひらがなカタカナの３種類の文字構成を練習する枠として適している。
【符号の説明】
【００７５】
１      文字練習帳
２      文字練習紙
１０      文字練習枠
１１      外枠
２１      十字線
２５      補助線
３０      斜め基準線
【図１】
2016118666.tif 000003
【図２】
2016118666.tif 000004
【図３】
2016118666.tif 000005
【図４】
2016118666.tif 000006
【図５】
2016118666.tif 000007